(57)【要約】【課題】高い洗浄力を備えると共に、肌や環境に害を及ぼさない粉末洗浄剤を提供する。【解決手段】石鹸粉末より成る主剤と水に触れることによって電子を放出する無機粉末とを混ぜ合わせることにより粉末洗浄剤を生成する。この粉末洗浄剤に所定量の水を加えたものを汚れなどが付着した被洗浄物に作用させると、無機粉末から放出された電子が付着部や被洗浄物の陽イオンと結合することで、付着物と被洗浄物との間の分子間力が弱められ、付着物が剥がれやすい状態になる。【選択図】なし【特許請求の範囲】
【請求項１】
石鹸粉末より成る主剤と水に触れることによって電子を放出する無機粉末とが含まれる粉末洗浄剤。
【請求項２】
前記無機粉末は、酸素欠損が生じている無機酸化物の粉末、または金属粉末、もしくは双方の粉末が混合されたものである、請求項１に記載された粉末洗浄剤。
【請求項３】
請求項１または２に記載された粉末洗浄剤であって、当該洗浄剤１００部中の前記無機粉末の含有率を２〜５部とする粉末洗浄剤。
【請求項４】
前記石鹸粉末より成る主剤および前記無機粉末と共に、アグリモニインを有効成分として含む粉末が含まれる、請求項１〜３のいずれかに記載された粉末洗浄剤。
【請求項５】
前記アグリモニインを有効成分として含む粉末は、苺の茎葉から抽出されたエキスを乾燥させることにより生成された苺由来粉末である請求項４に記載された粉末洗浄剤。
【発明の詳細な説明】
【技術分野】
【０００１】
本発明は、石鹸粉末を主剤とする粉末洗浄剤に関する。
【背景技術】
【０００２】
従前より、人体の肌の洗浄に使用するための洗浄剤として、石鹸粉末を主剤とする粉末洗浄剤が知られている。たとえば、特許文献１には、石鹸成分とビタミンＥと多孔質二酸化珪素とを必須成分とする洗顔用の洗顔用粉末洗剤が開示されている。また特許文献２には、グルタミン酸類粉末と、含水率が２重量％以下の炭素数１２〜２２の飽和脂肪酸カルシウム塩粉末とを含有する洗顔用の粉末状洗剤が開示されている。
【０００３】
また、美白効果や保湿効果を有し、洗顔料や入浴用石鹸に含有させるのに適した物質としてアグリモニインが知られている。アグリモニインは、苺の茎葉に多く含まれており、乾燥させた茎葉を水またはエタノール溶液等に漬積する方法により抽出することができる（特許文献３を参照。）。
【先行技術文献】
【特許文献】
【０００４】
【特許文献１】特開２００４−１８９６２１号公報
【特許文献２】特開２００７−１１２７７０号公報
【特許文献３】特開２０１０−２１５５１６号公報
【発明の概要】
【発明が解決しようとする課題】
【０００５】
特許文献１，２には、泡立ちや洗浄性や洗浄後のつっぱり感などに関する検証実験の結果が開示されているが、いずれの実験も通常の洗顔に使用する際の効果を検証するためのもので、メイク落としを想定した実験は示されていない。
【０００６】
メイク落としには、一般に、専用の洗浄剤（クレンジング剤）が用いられるが、クレンジング剤には様々な界面活性剤が含まれているため、肌に負担をかけ、場合によっては、かぶれやかゆみなどの肌のトラブルが生じるおそれがある。
【０００７】
また工場などでの作業中に衣服等に付着した機械油を取り除くために、有機溶剤が用いられることがあるが、有機溶剤の使用は人体や環境に悪影響を与え、好ましいことではない。
【０００８】
上記の問題に鑑み、本発明は、強力な汚れでも容易に落とすことができる高い洗浄力を備え、人体や環境に害を及ぼさない粉末洗浄剤を提供することを課題とする。
【課題を解決するための手段】
【０００９】
本発明による粉末洗浄剤は、石鹸粉末より成る主剤と水に触れることによって電子を放出する無機粉末とを含むものである。この粉末洗浄剤を水に溶かすことにより生成された石鹸液は、無機粉末から放出された電子により還元力が高められた溶液となる。よって、油脂などが付着した被洗浄物（たとえば皮膚）にこの溶液を作用させると、液中の電子が被洗浄物や付着物（たとえば油脂）の陽イオンと結合することによって被洗浄物と付着物との間の分子間力が弱められて、付着物が剥がれやすい状態にすることができる。
【００１０】
上記の無機粉末としては、還元雰囲気で焼成されたことにより酸素欠損が生じている無機酸化物の粉末、または金属粉末、もしくは双方の粉末が混合されたものを使用することができる。
【００１１】
さらに、本発明では、石鹸端末より成る主剤および無機粉末を含む基本の洗浄剤に、アグリモニインを有効成分として含む粉末を加えることにより、高い洗浄力に加えて美白効果や保湿効果を備えた皮膚洗浄用の粉末洗浄剤を提供することができる。アグリモニインを有効成分として含む粉末としては、苺の茎葉から抽出されたエキスを乾燥させることにより生成された苺由来粉末を使用することができる。苺の茎葉は果実の収穫を終えた株から刈り取ることができ、従来は廃棄されていたものを資源として有効に活用することができる。
【発明の効果】
【００１２】
本発明による粉末洗浄剤は、石鹸を主要成分として、水に触れることによって電子を放出する無機粉末を加えることで、十分な洗浄力が得られるので、人体や環境に負荷をかけるおそれのある成分を含める必要がない。よって、人体や環境に害を及ぼすことなく、優れた洗浄力を発揮することができる。また水に触れることがない環境下であれば、長期間の保存が可能であり、外出時に少量を持ち運ぶこともでき、利便性が高められる。
【発明を実施するための形態】
【００１３】
本発明の一実施形態に係る粉末洗浄剤は、主剤となる石鹸粉末と、還元雰囲気で焼成することにより酸素欠損が生じた無機酸化物を粉砕して得られる無機粉末とを混合した構成のものである。
【００１４】
無機酸化物は、たとえば、酸化珪素（ＳｉＯ２），酸化アルミニウム（Ａｌ２Ｏ３），酸化カルシウム（ＣａＯ），酸化マグネシウム（ＭｇＯ）などである。無機粉末は、これらの物質を多く含む砂または岩石を対象に、焼成および粉砕を行うことにより得ることができる。好ましい材料としては、柔らかくて気効率が高いことから粉砕が容易と考えられる沸石や、同様に粉砕が容易で多量のカルシウムを含む貝殻をあげることができる。
【００１５】
無機酸化物は、金属イオンと酸素イオンとが結合したものであるが、無機酸化物を還元雰囲気中で焼成すると、その一部または全体に酸素欠損が生じ、その欠損部分の金属イオンが下記に示すような非化学量論的な物質に変化する。
【００１６】
ＳｉＯ２  ・・・  ＳｉＯ２−ｘ  に変化
Ａｌ２Ｏ３  ・・・  Ａｌ２Ｏ３−ｘ  に変化
ＣａＯ    ・・・  ＣａＯ１−ｘ  に変化
ＭｇＯ    ・・・  ＭｇＯ１−ｘ  に変化
【００１７】
上記の現象を電子の動きに着目して表すと、以下のように書き換えられる。
（１）Ｓｉ４＋  ・・・  Ｓｉ３＋、Ｓｉ２＋、Ｓｉ＋  またはＳｉに変化  
（２）Ａｌ３＋  ・・・  Ａｌ２＋、Ａｌ＋  またはＡｌに変化
（３）Ｃａ２＋  ・・・  Ｃａ＋  またはＣａに変化
（４）Ｍｇ２＋  ・・・  Ｍｇ＋  またはＭｇに変化
【００１８】
これらの非化学量論的な物質は、通常よりも多くの電子を含む不安定な状態にあるため、水に接すると、余分な電子を水中に放出して安定した状態に戻ろうとする。すなわち、以下の化学式に示すような現象が生じる。
【００１９】
Ｓｉ３＋  →  Ｓｉ４＋  ＋  ｅ−  ・・・（１−１）
Ｓｉ２＋  →  Ｓｉ４＋  ＋  ２ｅ−  ・・・（１−２）
Ｓｉ＋  →  Ｓｉ４＋  ＋  ３ｅ−  ・・・（１−３）
Ｓｉ    →  Ｓｉ４＋  ＋  ４ｅ−  ・・・（１−４）
Ａｌ２＋  →  Ａｌ３＋  ＋  ｅ−    ・・・（２−１）
Ａｌ＋  →  Ａｌ３＋  ＋  ２ｅ−    ・・・（２−２）
Ａｌ    →  Ａｌ３＋  ＋  ３ｅ−    ・・・（２−３）
Ｃａ＋  →  Ｃａ２＋  ＋  ｅ−    ・・・（３−１）
Ｃａ    →  Ｃａ２＋  ＋  ２ｅ−    ・・・（３−２）
Ｍｇ＋  →  Ｍｇ２＋  ＋  ｅ−    ・・・（４−１）
Ｍｇ    →  Ｍｇ２＋  ＋  ２ｅ−    ・・・（４−２）
【００２０】
上記の現象により放出された電子を含む水を油脂などが付着した物体に接触させると、付着物や被付着物中の陽イオンに水中の電子が結合することによって、付着物と被付着物との間の分子間力が弱められ、付着物が剥がれやすい状態になる。この水には主剤の石鹸粉末も溶けているので、水中の電子と石鹸成分との相乗作用によって、付着物を容易に除去することができる。
【００２１】
（１）〜（４）に示したように、強い還元雰囲気中で無機酸化物を焼成すると、無機酸化物の一部は完全に還元されて金属となる。それならば、無機酸化物を焼成および粉砕して得られる粉末に代えて、マグネシウムやアルミニウムなどの金属の粉末を石鹸粉末に混ぜ合わせた構成の粉末洗浄剤でも、水に触れることによって金属粉末から電子が放出され（式（２−３）（４−２）を参照。）、無機酸化物の粉末が入った洗浄剤と同様の洗浄機能が得られるはずである。無機酸化物の粉末と金属粉末とを所定の配合で混合したものを主剤と混ぜ合わせた構成の粉末洗浄剤によっても、同様の洗浄機能が得られると解される。
【００２２】
なお、先行技術としてあげた特許文献１（特開２００４−１８９６２１号公報）には、沸石に含有される多孔質二酸化珪素を含む粉末洗浄剤が開示されているが、多孔質二酸化珪素を焼成および粉砕して、水に触れることによって電子を放出する性質を持たせた材料を含めることは、何ら記載されていない。多孔質二酸化珪素を含有させる目的も、もう一つの必須成分であるビタミンＥの変質防止効果や洗浄粒子の再固形化の防止といった、本発明に関係のないものである。
【００２３】
本発明による粉末洗浄剤を洗顔剤やボディーソープなどの皮膚洗浄用に使用する場合には、アグリモニインを有効成分として含む粉末を加えることによって、高い美白効果や保湿効果を有する粉末洗浄剤を提供することができる。
【００２４】
特許文献３に記載されているように、アグリモニインは苺の茎葉に多く含まれており、茎葉を刈り取ってアルコール溶液または水に浸積し、所定時間静置することによって、アグリモニインを抽出することができる。さらにこの抽出液を濾過した後に乾燥させることによって、アグリモニインを含む苺由来粉末を得ることができる。
【００２５】
なお、乾燥処理についてはスプレードライヤーを用いることにより、微細な苺由来粉末を効率良く生産することができる。従来は果実を収穫した後に廃棄されていた茎葉が原材料となるので、原材料を容易かつ安価に入手することができ、苺由来粉末を安定して生産することが可能である。
【００２６】
以下、本発明による粉末洗浄剤によって、上記に説明したとおりの効果が得られるかどうかを検証するために実施した実験について、説明する。
【００２７】
（イ）粉末洗浄剤の原料として、以下のＡ，Ｂ，Ｃを用意した。
Ａ．石鹸粉末（主剤）
株式会社アサヒケミカ製  ｂｅｊｕｎｏフェイスウォッシングパウダー
カリ含有石ケン素地、タルク、シリカ、加水分解コラーゲン、グリコール酸、パパイン、ポリメチルシルセスキオキサン、水を成分とする。
（同社ウェブサイトhttp://www.chemica.co.jp/juten/face.htmlを参照。）
【００２８】
Ｂ．無機粉末
沸石３ｋｇ、牡蠣の殻７ｋｇを、それぞれ粒状になるまで粉砕した後、両方の粉末を均一になるように混合し、バインダーとしてポリビニルアルコールを用いて直径５ｍｍの球状に造粒し、９７０°Ｃの還元雰囲気の中で焼成し、焼成後に再度粉砕する方法により生成した。
【００２９】
Ｃ．苺由来粉末
オランダ苺の乾燥葉（収穫後に摘み取って乾燥させたもの）１ｋｇを１０リットルの５０％エタノール溶液に浸積し、常温で７２時間静置した後、スプレードライヤーを用いて当該溶液を乾燥させる方法により生成した。
【００３０】
（ロ）実験１（無機粉末の添加による洗浄力の向上を確認するための実験）
洗浄剤全体に対する無機粉末Ｂの割合を１％，２％，３％，４％，５％として、主剤Ａと無機粉末Ｂとを混ぜ合わせることにより生成した５種類のサンプルＳ１〜Ｓ５と、主剤Ａのみから成る比較用サンプルＳ０とを準備した。
【００３１】
モニターの手の甲に耐水性が高いアイシャドーを約１ｃｍの長さの線を描くように塗布し、１０分間放置した後に、サンプルを少量の水に溶かしたものを染みこませたガーゼにより、アイシャドーが塗布された箇所を軽く擦り、落ち具合を下記の５段階によりモニター自身に評価してもらう実験を、各サンプルＳ０〜Ｓ５に対して個別に実施した。
【００３２】
１：ほとんど落ちない（０％落ちる）
２：少し落ちている（２０％落ちる）
３：半分ぐらい落ちている（５０％落ちる）
４：綺麗に落ちるが跡が見られる（８０％落ちる）
５：綺麗に落ちて跡が分からない（１００％落ちる）
【００３３】
１０人のモニターが出した評価値のサンプル毎の平均値を、下記の表１に示す。
【００３４】
【表１】
2017095585.tif 000002
【００３５】
上記の実験１により、無機粉末Ｂの割合を２〜５％とし、残余を主剤の石鹸粉末Ａとすることによって、耐水性の高いアイシャドーを落とすのに十分な洗浄力が得られることが確認された。
【００３６】
（ハ）実験２（苺由来粉末の添加による効果を確認するための実験）  
洗浄剤全体に対する無機粉末Ｂの割合を２％に固定し、苺由来粉末Ｃの割合を１％，２％，３％，４％，５％，６％として、主剤Ａおよび無機粉末Ｂと苺由来粉末Ｃとを混ぜ合わせることにより生成された６種類のサンプルＳ１１〜Ｓ１６と、苺由来粉末Ｃを含まない比較用サンプルＳ１０（Ａ，Ｂのみを含むもの）とを用いて、モニターに洗顔をしてもらい、洗顔後のうるおい感を下記の５段階によりモニター自身に評価してもらう実験を、各サンプルＳ１０〜Ｓ１６に対して個別に実施した。
【００３７】
１：うるおい感がない（０％のうるおい感）
２：少しうるおい感を感じる（２０％のうるおい感）
３：適度なうるおい感がある（５０％のうるおい感）
４：強いうるおい感がある（８０％のうるおい感）
５：十分なうるおい感がある（１００％のうるおい感）
【００３８】
１０人のモニターが出した評価値のサンプル毎の平均値を、下記の表２に示す。
【００３９】
【表２】
2017095585.tif 000003
【００４０】
上記の実験２により、苺由来粉末を５％添加することによって、十分なうるおい感が得られ、苺由来粉末の割合が２％程度であっても、かなりのうるおい感が得られることが判明した。
【００４１】
上記の実験１，２の結果より、無機粉末Ｂの割合を２〜５％とし、苺由来粉末Ｃの割合を２％以上とし、残余を主剤の石鹸粉末Ａとして、Ａ，Ｂ，Ｃを混ぜ合わせることによって、メイク落としをすることが可能で、洗顔後のうるおい感が得られる粉末洗浄剤を提供できると解される。
【００４２】
上記の粉末洗浄剤は、洗顔のほか、手洗いやボディーソープとしても使用することができ、粉末の状態での長期の保管が可能である。使用形態としては、たとえば、プラスティック製のボトルに保管して、このボトルから必要な量だけ洗浄剤を振り出して、水や湯を加える方法を採用することができる。また、パウチなどにより少量ずつに小分けしたものを、旅行や外出の際の持ち歩き用として提供することもできる。
【００４３】
さらに、無機粉末と石鹸粉末とを混ぜ合わせた粉末洗浄剤は、皮膚の洗浄用に限らず、洗濯用、食器洗い用、清掃用など、幅広く使用することができる。特に、作業着に付着した機械油や、換気扇やコンロの五徳の油汚れなど、強力な薬品が必要であった汚れを、人体や環境に悪影響を及ぼすおそれなく、容易に除去することが可能になる。
【００４４】
洗顔用の粉末洗浄剤については、実験１の結果をふまえて、無機粉末の割合を２〜５％程度にするのが妥当であると思われるが、他の用途、特に機械油などの強力な汚れを落とす目的に使用する場合には、汚れの成分を被洗浄物から剥ぎ取る力をより高めるために、５％を超える量の無機粉末を混入してもよい。